(57)【特許請求の範囲】
【請求項１】
電力供給部から供給される電力を複数の自動車に同時に充電可能な自動車充電部を制御する自動車充電制御装置であって、
前記自動車充電部を備える駐車施設に滞在し、かつ前記駐車施設に滞在中は前記自動車充電部に接続されている充電対象の自動車である複数の要充電自動車の充電要求を全て満たすと仮定した場合に、前記自動車充電部の設備容量が所定の設備容量を超過するか否かを判定する設備容量超過判定部と、
前記自動車充電部の設備容量が前記所定の設備容量を超過すると判定された場合に、前記自動車充電部に接続されている自動車の中から、充電が完了してから前記駐車施設より退出するまでの予定時間である余裕時間が大きいものほど優先して少なくとも１台の自動車を選択する自動車選択部と、
前記自動車選択部が選択した自動車である選択自動車への充電が抑制されるように、前記自動車充電部を制御する電力制御部と
を備える自動車充電制御装置。
【請求項２】
前記設備容量超過判定部は、前記複数の要充電自動車の充電要求を全て満たすと仮定した場合に、前記自動車充電部の設備容量としての前記電力供給部の電力供給能力が所定の設備容量を超過するか否かを判定し、
前記自動車選択部は、前記電力供給部の電力供給能力が前記所定の設備容量を超過すると判定された場合に、前記自動車充電部に接続されている自動車の中から、前記余裕時間が大きいものほど優先して少なくとも１台の自動車を選択し、
前記電力制御部は、前記選択自動車に、前記選択自動車とは異なる要充電自動車に充電するための電力を放電させるように前記自動車充電部を制御する
請求項１に記載の自動車充電制御装置。
【請求項３】
前記自動車選択部は、前記電力供給部の電力供給能力が前記所定の設備容量を超過すると判定された場合に、一の自動車から他の自動車に電力を充電すれば前記電力供給部の電力供給能力が前記所定の設備容量を超過しなくなるまで、前記一の自動車として、前記自動車充電部に接続されている自動車の中から、前記余裕時間が大きいものほど優先して選択する
請求項２に記載に自動車充電制御装置。
【請求項４】
前記設備容量超過判定部は、前記電力供給部から自動車に対して供給可能な電力量から、全ての前記複数の要充電自動車に同時に充電を行ったと仮定した場合の充電に必要な電力量を減算した値が、所定の下限値未満となる場合には、前記電力供給部の電力供給能力が前記所定の設備容量を超過すると判定し、前記減算した値が前記所定の下限値以上となる場合には、前記電力供給部の電力供給能力が前記所定の設備容量を超過しないと判定する
請求項２または３に記載の自動車充電制御装置。
【請求項５】
前記電力制御部は、さらに、前記電力供給部から前記選択自動車に充電されるように前記自動車充電部を制御する
請求項２〜４のいずれか１項に記載の自動車充電制御装置。
【請求項６】
さらに、
要充電自動車から、充電要求量および前記駐車施設における滞在予定時間を含む前記充電要求を受け付ける充電要求受付部を備え、
前記余裕時間は、前記滞在予定時間から、前記充電要求の充電要求量の電力を充電するのに必要な時間と、要充電自動車に充電するための電力の放電時間と、要充電自動車に充電するために放電したのと同じ電力量の電力の前記電力供給部からの充電時間とを減算した時間である
請求項５に記載の自動車充電制御装置。
【請求項７】
前記自動車選択部は、前記自動車充電部の設備容量が前記所定の設備容量を超過すると判定された場合に、ある自動車への充電を抑制すれば前記自動車充電部の設備容量が前記所定の設備容量を超過しなくなるまで、前記ある自動車として、前記自動車充電部に接続されている自動車の中から、前記余裕時間が大きいものほど優先して選択する
請求項１に記載に自動車充電制御装置。
【請求項８】
前記設備容量超過判定部は、全ての前記複数の要充電自動車に同時に充電を行ったと仮定した場合の、前記自動車充電部を流れる電力の合計値が所定の上限値よりも大きい場合には、前記自動車充電部の設備容量が前記所定の設備容量を超過すると判定し、前記合計値が前記所定の上限値以下の場合には、前記自動車充電部の設備容量が前記所定の設備容量を超過しないと判定する
請求項１または７に記載の自動車充電制御装置。
【請求項９】
前記電力制御部は、前記選択自動車への充電の抑制として、前記選択自動車への充電が一時的に休止されるように前記自動車充電部を制御する
請求項１、７および８のいずれか１項に記載の自動車充電制御装置。
【請求項１０】
さらに、
要充電自動車から、充電要求量および前記駐車施設における滞在予定時間を含む前記充電要求を受け付ける充電要求受付部を備え、
前記余裕時間は、前記滞在予定時間から、前記充電要求の充電要求量の電力を充電するのに必要な時間と、充電の一時的な休止時間とを減算した時間である
請求項９に記載の自動車充電制御装置。
【請求項１１】
前記自動車選択部は、自動車の前記駐車施設への来訪、自動車の前記駐車施設からの退出または自動車への充電が完了することにより前記充電要求が変化した場合に、前記選択自動車を再度選択する
請求項１〜１０のいずれか１項に記載の自動車充電制御装置。
【請求項１２】
さらに、
充電が抑制された前記選択自動車に対して、所定の取引の優遇措置を示す情報を送信する充電管理部を備える
請求項１〜１１のいずれか１項に記載の自動車充電制御装置。
【請求項１３】
電力供給部から供給される電力を複数の自動車に同時に充電可能な自動車充電部を制御する自動車充電制御方法であって、
前記自動車充電部を備える駐車施設に滞在し、かつ前記駐車施設に滞在中は前記自動車充電部に接続されている充電対象の自動車である複数の要充電自動車の充電要求を全て満たすと仮定した場合に、前記自動車充電部の設備容量が所定の設備容量を超過するか否かを判定するステップと、
前記自動車充電部の設備容量が前記所定の設備容量を超過すると判定された場合に、前記自動車充電部に接続されている自動車の中から、充電が完了してから前記駐車施設より退出するまでの予定時間である余裕時間が大きいものほど優先して少なくとも１台の自動車を選択するステップと、
前記選択するステップにおいて選択された自動車である選択自動車への充電が抑制されるように、前記自動車充電部を制御するステップと
を含む自動車充電制御方法。
【請求項１４】
請求項１３に記載の自動車充電制御方法をコンピュータに実行させるためのプログラム。
【発明の詳細な説明】
【技術分野】
【０００１】
本発明は、電力供給部から供給される電力を複数の自動車に同時に充電可能な自動車充電部を制御する自動車充電制御装置に関する。
【背景技術】
【０００２】
従来、複数の電気自動車に同時に充電を行う充電ステーションにおいて、充電される電動車両の公共性に応じて、充電電力を制御する方法が知られている（例えば、特許文献１参照）。特許文献１では、外部電源の供給可能電力の範囲内で、所定の優先順位に応じて各電動車両への充電電力を設定する。これにより、公共性の高い電動車両に対して、優先的に電力を供給することができる。
【先行技術文献】
【特許文献】
【０００３】
【特許文献１】特開２０１０−１１０１７３号公報
【発明の概要】
【発明が解決しようとする課題】
【０００４】
今後、電気自動車が大容量の車載バッテリを搭載し、外出先の充電ステーションで充電するというニーズが出てくると予想される。
【０００５】
充電ステーションには、例えば、商業施設の駐車場に併設されるような数十台以上の規模の充電ステーションが現れると考えられる。ところが、すべての充電可能な駐車スペースに来訪した電気自動車の充電要求に応えられるだけの大容量の充電設備を整備することは、非常に費用を要する。
【０００６】
したがって、充電ステーションは、一定の設備容量を増やすことなく、できるだけユーザの不利益にならないように、充電要求に応えられるように充電を制御することが望ましい。
【０００７】
しかしながら、前記従来の構成では、外部電源の供給可能電力を超過した場合に、車両ごとに事前に設定された優先順位で充電電力が制御される。このため、ユーザが急いでいるかどうかに関係なく、優先順位が低い車両の充電は後回しになる。急いでいるにもかかわらず後回しにされたユーザは、充電を諦めるか、途中で充電を中断せざるを得ない場合がある。このため、充電ステーションの稼働率が低下するという課題を有している。
【０００８】
本発明は、上述した従来の課題を解決するためになされたものであり、充電ステーションの稼働率を高める自動車充電制御装置を提供することを目的とする。
【課題を解決するための手段】
【０００９】
上記従来の課題を解決するために、本発明のある局面に係る自動車充電制御装置は、電力供給部から供給される電力を複数の自動車に同時に充電可能な自動車充電部を制御する自動車充電制御装置であって、前記自動車充電部を備える駐車施設に滞在し、かつ前記駐車施設に滞在中は前記自動車充電部に接続されている充電対象の自動車である複数の要充電自動車の充電要求を全て満たすと仮定した場合に、前記自動車充電部の設備容量が所定の設備容量を超過するか否かを判定する設備容量超過判定部と、前記自動車充電部の設備容量が前記所定の設備容量を超過すると判定された場合に、前記自動車充電部に接続されている自動車の中から、充電が完了してから前記駐車施設より退出するまでの予定時間である余裕時間が大きいものほど優先して少なくとも１台の自動車を選択する自動車選択部と、前記自動車選択部が選択した自動車である選択自動車への充電が抑制されるように、前記自動車充電部を制御する電力制御部とを備える。
【００１０】
この構成によると、充電時間に余裕がある自動車への充電を抑制する制御が行われる。このため、充電時間に余裕の無い自動車への充電を優先させることができる。これにより、充電ステーションの稼働率を高めることが可能となる。
【００１１】
なお、本発明は、このような特徴的な処理部を備える自動車充電制御装置として実現することができるだけでなく、自動車充電制御装置に含まれる特徴的な処理部が実行する処理をステップとする自動車充電制御方法として実現することができる。また、自動車充電制御装置に含まれる特徴的な処理部としてコンピュータを機能させるためのプログラムまたは自動車充電制御方法に含まれる特徴的なステップをコンピュータに実行させるプログラムとして実現することもできる。そして、そのようなプログラムを、ＣＤ−ＲＯＭ（Compact Disc-Read Only Memory）等のコンピュータ読取可能な非一時的な記録媒体やインターネット等の通信ネットワークを介して流通させることができるのは、言うまでもない。
【発明の効果】
【００１２】
本発明に係る自動車充電制御装置によれば、充電時間に余裕がある自動車への充電を抑制する制御が行われる。このため、充電時間に余裕の無い自動車への充電を優先させることができる。これにより、充電ステーションの稼働率を高めることが可能となる。
【図面の簡単な説明】
【００１３】
【図１】実施の形態１における自動車充電装置を備える充電ステーションの構成を示す模式図兼機能ブロック図である。
【図２】実施の形態１における充電設定メニューの画面表示例を示す図である。
【図３】実施の形態１における充電ステーションに逐次来訪した自動車の充電要求の例を示す図である。
【図４】実施の形態１における来訪した自動車の充電要求に応える充電電力の合計値を時系列に示したグラフである。
【図５】実施の形態１における電力供給部の電力量残量を時系列に示したグラフである。
【図６】実施の形態１における自動車充電装置の処理の流れを示すフローチャートである。
【図７】実施の形態１における電力を調達する自動車の変更を説明する模式図である。
【図８】実施の形態１における精算画面の表示例を示す図である。
【図９】実施の形態２における自動車充電装置を備える充電ステーションの構成を示す模式図兼機能ブロック図である。
【図１０】実施の形態２における来訪した自動車の充電要求に応える充電電力の合計値を時系列に示したグラフである。
【図１１】実施の形態２における自動車充電装置の処理の流れを示すフローチャートである。
【図１２】実施の形態２における電力を調達する自動車の変更を説明する模式図である。
【図１３】実施の形態２の変形例における電力を調達する自動車の変更を説明する模式図である。
【図１４】実施の形態１および２に係る自動車充電制御装置を実現するコンピュータシステムのハードウェア構成を示すブロック図である。
【発明を実施するための形態】
【００１４】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置および接続形態、ステップ、ステップの順序などは、一例であり、本発明を限定する主旨ではない。本発明は、特許請求の範囲だけによって限定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００１５】
本発明の他の実施形態に係る自動車充電制御装置は、電力供給部から供給される電力を複数の自動車に同時に充電可能な自動車充電部を制御する自動車充電制御装置であって、前記自動車充電部を備える駐車施設に滞在し、かつ前記駐車施設に滞在中は前記自動車充電部に接続されている充電対象の自動車である複数の要充電自動車の充電要求を全て満たすと仮定した場合に、前記自動車充電部の設備容量が所定の設備容量を超過するか否かを判定する設備容量超過判定部と、前記自動車充電部の設備容量が前記所定の設備容量を超過すると判定された場合に、前記自動車充電部に接続されている自動車の中から、充電が完了してから前記駐車施設より退出するまでの予定時間である余裕時間が大きいものほど優先して少なくとも１台の自動車を選択する自動車選択部と、前記自動車選択部が選択した自動車である選択自動車への充電が抑制されるように、前記自動車充電部を制御する電力制御部とを備える。
【００１６】
この構成によると、充電時間に余裕がある自動車への充電を抑制する制御が行われる。このため、充電時間に余裕の無い自動車への充電を優先させることができる。これにより、充電ステーションの稼働率を高めることが可能となる。
【００１７】
好ましくは、前記設備容量超過判定部は、前記複数の要充電自動車の充電要求を全て満たすと仮定した場合に、前記自動車充電部の設備容量としての前記電力供給部の電力供給能力が所定の設備容量を超過するか否かを判定し、前記自動車選択部は、前記電力供給部の電力供給能力が前記所定の設備容量を超過すると判定された場合に、前記自動車充電部に接続されている自動車の中から、前記余裕時間が大きいものほど優先して少なくとも１台の自動車を選択し、前記電力制御部は、前記選択自動車に、前記選択自動車とは異なる要充電自動車に充電するための電力を放電させるように前記自動車充電部を制御する。
【００１８】
この構成によると、充電時間に余裕がある自動車の電力を調達し、調達した電力で他の自動車を充電する制御が行われる。このため、充電時間に余裕の無い自動車への充電を優先させることができる。これにより、充電ステーションの稼働率を高めることが可能となる。
【００１９】
好ましくは、前記自動車選択部は、前記電力供給部の電力供給能力が前記所定の設備容量を超過すると判定された場合に、一の自動車から他の自動車に電力を充電すれば前記電力供給部の電力供給能力が前記所定の設備容量を超過しなくなるまで、前記一の自動車として、前記自動車充電部に接続されている自動車の中から、前記余裕時間が大きいものほど優先して選択する。
【００２０】
この構成によると、電力供給部の電力供給能力が所定の設備容量を超過しないような充電の制御を行うことができる。
【００２１】
また、前記設備容量超過判定部は、前記電力供給部から自動車に対して供給可能な電力量から、全ての前記複数の要充電自動車に同時に充電を行ったと仮定した場合の充電に必要な電力量を減算した値が、所定の下限値未満となる場合には、前記電力供給部の電力供給能力が前記所定の設備容量を超過すると判定し、前記減算した値が前記所定の下限値以上となる場合には、前記電力供給部の電力供給能力が前記所定の設備容量を超過しないと判定しても良い。
【００２２】
この構成によると、電力供給部から供給可能な電力量が下限値を下回らないように充電の制御を行うことができる。
【００２３】
また、前記電力制御部は、さらに、前記電力供給部から前記選択自動車に充電されるように前記自動車充電部を制御しても良い。
【００２４】
この構成によると、他の自動車の充電のために放電された電力を取り戻すことができる。
【００２５】
また、上述の自動車充電制御装置は、さらに、要充電自動車から、充電要求量および前記駐車施設における滞在予定時間を含む前記充電要求を受け付ける充電要求受付部を備え、前記余裕時間は、前記滞在予定時間から、前記充電要求の充電要求量の電力を充電するのに必要な時間と、要充電自動車に充電するための電力の放電時間と、要充電自動車に充電するために放電したのと同じ電力量の電力の前記電力供給部からの充電時間とを減算した時間であっても良い。
【００２６】
この構成によると、余裕時間を正確に求めることができる。
【００２７】
好ましくは、前記自動車選択部は、前記自動車充電部の設備容量が前記所定の設備容量を超過すると判定された場合に、ある自動車への充電を抑制すれば前記自動車充電部の設備容量が前記所定の設備容量を超過しなくなるまで、前記ある自動車として、前記自動車充電部に接続されている自動車の中から、前記余裕時間が大きいものほど優先して選択する。
【００２８】
この構成によると、自動車充電部の設備容量が所定の設備容量を超過しないような充電の制御を行うことができる。
【００２９】
また、前記設備容量超過判定部は、全ての前記複数の要充電自動車に同時に充電を行ったと仮定した場合の、前記自動車充電部を流れる電力の合計値が所定の上限値よりも大きい場合には、前記自動車充電部の設備容量が前記所定の設備容量を超過すると判定し、前記合計値が前記所定の上限値以下の場合には、前記自動車充電部の設備容量が前記所定の設備容量を超過しないと判定しても良い。
【００３０】
この構成によると、自動車充電部を流れる電力の合計値が上限値を上回らないように充電の制御を行うことができる。
【００３１】
また、前記電力制御部は、前記選択自動車への充電の抑制として、前記選択自動車への充電が一時的に休止されるように前記自動車充電部を制御しても良い。
【００３２】
この構成によると、充電時間に余裕のある自動車への充電を一時的に休止させるため、充電時間に余裕の無い自動車への充電を早期に完了させることができる。
【００３３】
また、上述の自動車充電制御装置は、さらに、要充電自動車から、充電要求量および前記駐車施設における滞在予定時間を含む前記充電要求を受け付ける充電要求受付部を備え、前記余裕時間は、前記滞在予定時間から、前記充電要求の充電要求量の電力を充電するのに必要な時間と、充電の一時的な休止時間とを減算した時間であっても良い。
【００３４】
この構成によると、余裕時間を正確に求めることができる。
【００３５】
また、前記自動車選択部は、自動車の前記駐車施設への来訪、自動車の前記駐車施設からの退出または自動車への充電が完了することにより前記充電要求が変化した場合に、前記選択自動車を再度選択しても良い。
【００３６】
この構成によると、充電要求が変化した場合には、充電の制御の仕方が変更されるため、充電ステーションを高稼働率で維持することができる。このため、自動車が充電ステーションから自由に出入りしたとしても、各時点において最適な自動車から電力の調達を行うことができる。
【００３７】
好ましくは、上述の自動車充電制御装置は、さらに、充電が抑制された前記選択自動車に対して、所定の取引の優遇措置を示す情報を送信する充電管理部を備えても良い。
【００３８】
この構成によると、充電の抑制を許可する自動車の台数を増やすことができる。よって、効率的に自動車充電部を制御することができるため、充電ステーションの稼働率を高めることができる。
【００３９】
以下、本発明の実施の形態について、それぞれ図面を参照しながら説明する。
【００４０】
（実施の形態１）
実施の形態１では、自動車充電装置を設置した充電ステーションを例として説明する。
【００４１】
図１は、本実施の形態における自動車充電装置を備える充電ステーションの構成を示す模式図兼機能ブロック図である。
【００４２】
自動車充電装置１は、充電ステーション１０に配置されている。
【００４３】
自動車充電装置１は、自動車充電制御装置１００と、複数の充放電部１０２と、電力供給部１０３とを含む。
【００４４】
充放電部１０２は、自動車３に対して電力の充放電を行う。例えば、充放電部１０２は、充放電部１０２が有する電力ケーブルを自動車３と電気的に接続した後に、自動車３に対して電力を充電し、または放電させる充放電処理を行う。
【００４５】
電力供給部１０３は、自動車３への充電電力を供給する。電力供給部１０３は、具体的には、電力を蓄積している蓄電部、蓄電部に接続された発電機または電力系統網などを含む。蓄電部は、充放電部１０２が受電した電力を蓄電する。または、蓄電部は、蓄電している電力を充放電部１０２へ放電する。蓄電部は、例えば、リチウムイオン電池、鉛蓄電池、ナトリウム・硫黄電池、ニッカド電池等、任意の種類の蓄電池である。蓄電部は、電気事業会社の電力系統網から電力を受電し、蓄積する。また、蓄電部は、発電機で発電された電力を蓄積する。
【００４６】
複数の充放電部１０２および電力供給部１０３は、電力供給部１０３から供給される電力を複数の自動車３に同時に充電可能な自動車充電部１０８を構成する。各充放電部１０２は、充電ステーション１０に来訪した自動車３の駐車スペースごとに設置されている。自動車３は、駐車スペースに駐車している間は、充放電部１０２に接続されているものとする。
【００４７】
自動車充電制御装置１００は、上述の自動車充電部１０８を制御する装置であり、充電要求受付部１０１と、充電管理部１０４と、電力量超過判定部１０５と、調達余裕時間算出部１０６と、電力制御部１０７とを含む。
【００４８】
充電要求受付部１０１は、自動車３からの充電要求を受け付ける。充電要求受付部１０１は、後述する要充電自動車から、充電要求量および充電ステーション１０における滞在予定時間を含む充電要求を受け付ける。ここで、要充電自動車とは、自動車充電部１０８を備える充電ステーション１０に滞在し、かつ充電ステーション１０に滞在中は自動車充電部１０８に接続されている充電対象の自動車３のことである。つまり、要充電自動車とは、充電ステーション１０の駐車スペースに駐車しており、自動車充電部１０８からの充電中または充電待ちの自動車３のことである。
【００４９】
充電管理部１０４は、自動車３の充放電の管理を行う。具体的には、充電管理部１０４は、充電要求受付部１０１で受け付けられた充電要求に従い、電力供給部１０３から電力を受電し、充放電部１０２を介して、自動車３に供給する。または、充電管理部１０４は、自動車３から電力を受電し、受電した電力を電力供給部１０３が備える蓄電部に蓄積する。なお、充電管理部１０４は、後述するように、充電が抑制された自動車３に対して、所定の取引の優遇措置を示す情報を送信する。
【００５０】
電力量超過判定部１０５は、複数の要充電自動車の充電要求を全て満たすと仮定した場合に、自動車充電部１０８の設備容量が所定の設備容量を超過するか否かを判定する。ここで、自動車充電部１０８の設備容量とは、電力供給部１０３の電力供給能力のことである。より具体的には、電力量超過判定部１０５は、電力供給部１０３から自動車３に対して供給可能な電力量から、全ての複数の要充電自動車に同時に充電を行ったと仮定した場合の充電に必要な電力量を減算した値が、所定の下限値未満となる場合には、電力供給部１０３の電力供給能力が所定の設備容量を超過すると判定する。また、電力量超過判定部１０５は、上記減算した値が上記所定の下限値以上となる場合には、電力供給部１０３の電力供給能力が所定の設備容量を超過しないと判定する。
【００５１】
調達余裕時間算出部１０６は、充電が完了してから充電ステーション１０より退出するまでの予定時間である調達余裕時間（余裕時間）を算出し、算出した調達余裕時間に従って自動車３を選択する。つまり、調達余裕時間算出部１０６は、自動車充電部１０８の設備容量が所定の設備容量を超過すると判定された場合、すなわち、電力供給部１０３の電力供給能力が所定の設備容量を超過すると判定された場合に、自動車充電部に接続されている自動車の中から、調達余裕時間が大きいものほど優先して少なくとも１台の自動車を選択する。選択する要充電自動車の台数は、予め定められていても良い。また、電力供給部１０３の電力供給能力が所定の設備容量を超過しなくなるまで、要充電自動車を選択するようしても良い。つまり、調達余裕時間算出部１０６は、電力供給部１０３の電力供給能力が所定の設備容量を超過すると判定された場合に、一の自動車３から他の自動車３に電力を充電すれば電力供給部１０３の電力供給能力が所定の設備容量を超過しなくなるまで、一の自動車３として、自動車充電部に接続されている自動車の中から、調達余裕時間が大きいものほど優先して選択するようにしても良い。換言すれば、調達余裕時間算出部１０６は、電力供給部１０３の電力供給能力が所定の設備容量を超過すると判定された場合に、一の自動車３として、自動車充電部に接続されている自動車の中から、調達余裕時間が大きいものから優先して順次選択する。調達余裕時間算出部１０６は、この選択処理を、一の自動車３から他の自動車３に電力を充電すれば電力供給部１０３の電力供給能力が所定の設備容量を超過しなくなるまで行う。
【００５２】
電力制御部１０７は、調達余裕時間算出部１０６が選択した自動車３である選択自動車への充電が抑制されるように、自動車充電部１０８を制御する。つまり、電力制御部１０７は、選択自動車に、選択自動車から選択自動車とは異なる要充電自動車に充電するための電力を放電させるように自動車充電部１０８を制御する。電力制御部１０７は、さらに、電力供給部１０３から選択自動車に充電されるように自動車充電部１０８を制御する。
【００５３】
図２は、充電ステーション１０に来訪した自動車３の車載端末の画面に表示される充電設定メニューの一例を示す図である。
【００５４】
車載端末は、自車の電力量情報と充電ステーション１０から受信した情報を画面に表示する。例えば、ウィンドウ１１０１に、現在の車載バッテリ容量が１５ｋＷｈ、現在の充電価格が２５円／ｋＷｈ、充電制御利用時の充電価格が２０円／ｋＷｈであることが表示されている。充電制御利用時の充電価格とは、後述する本実施の形態の電力制御による電力の貸与を他の自動車３にした場合の充電価格であり、通常の充電価格より安く設定される。
【００５５】
ユーザは表示された情報を参照して、充電に関わる要求を設定する。例えば、ウィンドウ１１０２で「充電要求量」を設定し、ウィンドウ１１０３で「滞在予定時間」を設定し、ウィンドウ１１０４で「充電制御の許可または不許可」を設定する。充電制御の許可または不許可は、後述する本実施の形態の電力制御を受けるか、受けないかを設定する項目である。ユーザは、これらのデータを設定した後、「実行」ボタン１１０５を押すことにより充電要求を確定する。
【００５６】
充電設定メニューを介して設定された、「充電要求量」、「滞在予定時間」および「充電制御の許可または不許可」を示す充電要求は、充電要求受付部１０１によって受け付けられる。なお、充電ステーション１０に来訪した自動車３は常に充電制御を許可するのであれば、充電要求の中に「充電制御の許可または不許可」は含まれていなくても良い。つまり、充電要求は、「充電要求量」および「滞在予定時間」のみを含むものであっても良い。
【００５７】
なお、図２に示した充電設定メニューは、充電ステーション１０に設けられた端末に表示されても良い。この場合には、ユーザは、充電ステーション１０への来訪時に、当該端末を用いて車載端末の場合と同様の入力操作を行うことにより、充電要求を行う。
【００５８】
図３は、充電ステーション１０に逐次来訪した自動車３の充電要求の例を示す。充電要求は、例えば、「到着時刻」と、「自動車識別子」と、「充電要求量」と、「滞在予定時間」とを含む。「到着時刻」は自動車３が充電ステーション１０に到着した時刻である。「到着時刻」は、例えば、図２に示した充電設定メニューにおいて「実行」ボタン１１０５を押した時刻である。「自動車識別子」は、自動車３を識別するための識別子であり、例えば、充電用の会員識別子であっても良いし、ナンバープレートに記載された番号でも良い。「自動車識別子」は、例えば、自動車３から充電要求受付部１０１に自動的に送信されるものであっても良いし、ユーザが会員識別子を記録したＩＣカードを所定端末に接触させることにより入力するものであっても良い。「充電要求量」は、当該自動車３が充電ステーション１０に要求する充電量であり、例えば、図２を用いて説明したようにユーザが設定する。「滞在予定時間」は、ユーザが充電ステーション１０に滞在する予定の時間であり、例えば、図２を用いて説明したようにユーザが設定する。
【００５９】
なお、図３の充電要求には、図２の充電設定メニューで設定した「充電制御の許可または不許可」が含まれていないが、「充電制御の許可または不許可」が含まれていても良い。
【００６０】
図４は、図３のような、充電ステーション１０に来訪した自動車３の充電要求に応えるための充電電力（単位ｋＷ）の合計値を時系列で示したグラフである。横軸は時刻を示し、縦軸は充電電力の合計値を示す。
【００６１】
自動車３が来訪すると充電電力が増加し、充電が完了すると充電電力が減少する。複数の自動車３の充電電力を積算すると、図４の実線のような折れ線のグラフとなる。
【００６２】
実際には自動車３の充電電力は、車載バッテリの状況に合わせて充電電流を調整するので正確に水平な折れ線にはならないが、ここでは説明のために簡略化している。つまり、各自動車３の充電電力は一定値であるものとする。
【００６３】
図５は、図４に示した充電電力の積算値（合計値）に従って自動車３を充電した場合の、電力供給部１０３の電力量残量（単位ｋＷｈ）を示す。横軸は時刻を示し、縦軸は電力供給部１０３の電力量残量を示す。電力供給部１０３は、発電機または電力系統網から受電した電力を、蓄電部に一旦蓄電した後、充放電部１０２に放電する。このため、図５は、特に、電力供給部１０３に含まれる蓄電部における電力量残量を実線で示している。
【００６４】
破線は、電力供給部１０３の供給可能電力量の下限値を示す。図５では、充電要求に従って充電を行うと、電力供給部１０３の電力量残量が、ある時点で電力供給部１０３の供給可能電力量を超過すること、つまり、電力供給部１０３の電力量残量が供給可能電力量の下限値を下回ることを示している。
【００６５】
ここで、本実施の形態では、電力供給部１０３の電力量残量が電力供給部１０３の供給可能電力量を超過しないようにするために、複数の要充電自動車のうちいずれかの自動車３の電力を調達するように電力制御する。つまり、車載バッテリ残量や充電時間に余裕がある自動車３の電力を一旦調達しながら、要充電自動車に充電を行う。その後、充電の需要が減ったり、電力系統網から蓄電部への電力供給量が増えたりすることなどにより電力供給部１０３の供給可能電力量を超過しなくなったときに、電力を調達した自動車３に充電する。
【００６６】
次に、以上のように構成された本実施の形態の自動車充電装置１の動作を図６のフローチャートを用いて説明する。
【００６７】
自動車充電装置１は、充電ステーション１０の営業開始前などに起動され、充電ステーション１０の営業終了後などに管理者の終了の入力があるまで終了しない。
【００６８】
（ステップＳ１０１）充電要求受付部１０１は、新規に来訪した自動車３の充電要求を受け付ける。充電管理部１０４は、当該充電要求を充電要求リストに追加する。充電要求リストは、例えば、図３に示した形式のデータである。
【００６９】
（ステップＳ１０２）充電要求受付部１０１は、充電が完了した自動車３の精算処理を行う。充電管理部１０４は、当該充電要求を充電要求リストから削除する。精算処理については後述する。
【００７０】
（ステップＳ１０３）電力量超過判定部１０５は、充電管理部１０４が管理している充電要求リストに従った充電要求の電力の積算を行う。
【００７１】
（ステップＳ１０４）電力量超過判定部１０５は、（ステップＳ１０３）で積算した充電電力で充電を行った場合の電力供給部１０３に蓄積されている電力量残量が、電力供給部１０３の供給可能電力量を超過しているか否かを判定する。電力供給部１０３の電力量残量が電力供給部１０３の供給可能電力量を超過している場合には、（ステップＳ１０７）に進む。電力供給部１０３の電力量残量が電力供給部１０３の供給可能電力量を超過していない場合には、（ステップＳ１０５）に進む。
【００７２】
（ステップＳ１０５）充電管理部１０４は、充放電部１０２に接続されている自動車３の充電要求に従って、自動車３に単位時間当たりの電力量の電力の充電を行う指示を充放電部１０２に送信する。ただし、後述する（ステップＳ１０８）で電力制御部１０７から調達制御の指示が出ている場合は、（ステップＳ１０５）の処理は行われず、（ステップＳ１０８）での指示に従って自動車３の電力を放電させる制御が行われる。
【００７３】
（ステップＳ１０６）管理者が自動車充電装置１を終了させる入力が行われている場合（ステップＳ１０６でＹＥＳ）、自動車充電装置１は、処理を終了する。自動車充電装置１を終了させる入力が行われていない場合には（ステップＳ１０６でＮＯ）、一定のタイミング（単位時間）で（ステップＳ１０１）に戻る。一定のタイミングで（ステップＳ１０１）に戻ることにより、自動車３が充電ステーション１０から自由に出入りしたとしても、各時点において最適な自動車３から電力の調達を行うことができる。なお、一定のタイミングで（ステップＳ１０１）に戻るのではなく、自動車３の充電ステーション１０への来訪、自動車３の充電ステーション１０からの退出または自動車３への充電が完了することにより充電要求が変化した場合に、（ステップＳ１０１）に戻るようにしても良い。
【００７４】
（ステップＳ１０７）調達余裕時間算出部１０６は、接続されている各自動車３について、充電が完了してから退出するまでの予定時間である調達余裕時間を算出し、調達余裕時間の最も大きい自動車３を選択する。調達余裕時間は、滞在予定時間から、充電に必要な時間を引くことによって得られる。充電に必要な時間は、充電要求の充電要求量の電力を充電するのに必要な時間と、要充電自動車に充電するための電力の放電時間と、要充電自動車に充電するために放電したのと同じ電力量の電力の電力供給部１０３からの充電時間との合計時間である。充電要求の充電要求量の電力を充電するのに必要な時間は、充電要求量を単位時間当たりの充電電力で割ることによって得られる。要充電自動車に充電するための電力の放電時間と、要充電自動車に充電するために放電したのと同じ電力量の電力の電力供給部１０３からの充電時間とは同じ時間となる。実際には、車載バッテリの状況等に応じて、単位時間当たりの充電電力は変化する。このため、車載バッテリの状況等に応じて、充電に必要な時間を正確に求めても良い。
【００７５】
なお、調達余裕時間算出部１０６が選択する自動車３の台数は、１台に限定されるものではなく、調達余裕時間が大きいものから所定台数選択するようにしても良い。また、調達余裕時間算出部１０６は、電力供給部１０３の電力量残量が下限値を下回らなくなるまで、自動車３を選択するようしても良い。つまり、調達余裕時間算出部１０６は、一の自動車３から他の自動車３に電力を充電すれば電力供給部１０３の電力量残量が下限値を下回らなくなるまで、一の自動車３として、自動車充電部に接続されている自動車の中から、調達余裕時間が大きいものほど優先して選択するようにしても良い。
【００７６】
（ステップＳ１０８）電力制御部１０７は、（ステップＳ１０７）で選択された自動車３への充電を休止し、該自動車３に電力を放電させて調達する指示を、充電管理部１０４に出し、（ステップＳ１０５）に進む。充電管理部１０４は、指示に従い、選択された自動車３への充電を休止する。
【００７７】
図６のフローチャートに従って、（ステップＳ１０７）と（ステップＳ１０８）の処理は繰り返し実行され、新規の自動車３の充電ステーション１０への来訪のタイミング、充電ステーション１０からの自動車３の退出のタイミング、充放電部１０２に接続されている自動車３の充電の完了のタイミング、またはフローチャートのループに従ったタイミングで、充電を休止して電力を調達する自動車３が変更される。
【００７８】
図７の模式図を用いて、電力を調達する自動車３の変更について説明する。
【００７９】
図７（ａ）は、ある時点において、充電ステーション１０に３台の自動車Ｄ、Ｅ、Ｆが接続されて充電されている状態を表している。各自動車３について、矩形全体が滞在予定時間を、斜め格子の領域７０１が充電中の時間を、白い領域７０２が調達余裕時間を、それぞれ表す。この時点においては、自動車３が３台とも充電中であり、電力供給部１０３の残量は下限値を超過していなかったとする。
【００８０】
図７（ｂ）は、図７（ａ）の状態に、新たに自動車Ｇが来訪して、充電ステーション１０に４台の自動車３が接続されている状態を表している。各自動車３について、領域７０３が電力調達中（放電中）の時間を表し、領域７０４が放電した電力と同じ電力量の電力の電力供給部１０３からの充電時間を表す。
【００８１】
自動車Ｇが来訪することで充電要求の電力の合計値が大きくなったことにより、現在時点で、電力供給部１０３の電力量残量が下限値を下回ったと仮定する。下限値を下回ったことにより、電力の調達制御が実行される。すなわち、調達余裕時間算出部１０６は、各自動車３について調達余裕時間を算出する。調達余裕時間算出部１０６は、調達余裕時間が最も長い自動車Ｆを選択する。電力制御部１０７は、選択した自動車Ｆの充電を休止して、自動車Ｆから電力の調達を開始すると共に、自動車Ｄ、ＥおよびＧについて充電を継続して行う。自動車Ｆから電力の調達を開始すると、電力の調達時間と、調達した電力の再充電時間とが、徐々に調達余裕時間から減算される。このため、自動車Ｆの調達余裕時間は徐々に小さくなっていく。
【００８２】
時刻ｔ１において、自動車Ｄの調達余裕時間が自動車Ｆの調達余裕時間より大きくなったため、電力制御部１０７は、自動車Ｄの充電を休止して、自動車Ｄから電力の調達を開始し、自動車Ｆの充電を再開する。
【００８３】
時刻ｔ２において、自動車Ｅの充電が完了したため、電力制御部１０７は、自動車Ｄの充電を再開する。
【００８４】
電力の調達先の自動車３は、後に充電が再開されるので、いったん電力を他の自動車３に貸与して、後にそれを返却してもらうというように捉えることができる。
【００８５】
このように、常に調達余裕時間が大きい自動車３の充電を休止して、その自動車３から電力を調達することにより、充電の時間的余裕のあるユーザの自動車３の充電を後回しにし、充電の時間的余裕のないユーザを待たせることなく、全ての自動車３に不利益なく充電することが可能である。
【００８６】
図８は、充電が完了した自動車３についての、充電ステーション１０の端末、あるいは、自動車３の車載端末における精算画面の表示例を示す。この精算画面は、図６の（ステップＳ１０２）における精算処理において表示される。精算画面には、ウィンドウ１２０１〜１２０６が表示される。
【００８７】
ウィンドウ１２０１には、図２のウィンドウ１１０１に表示されたのと同じ内容が表示される。つまり、現在の車載バッテリ容量、現在の充電価格、充電制御利用時の充電価格が確認のために表示されている。ただし、車載バッテリ容量は充電された分増大している。
【００８８】
ウィンドウ１２０２には、ユーザが設定した充電要求量が表示される。
【００８９】
ウィンドウ１２０３には、実際に充電された電力量が表示される。充電が正しく完了して精算処理を行う場合には、ウィンドウ１２０２に表示された充電要求量と同じ値となる。
【００９０】
ウィンドウ１２０４には、他の自動車３に貸与した電力量が表示される。図８では、５ｋＷｈの電力量を貸与して、後に充電されたことを表している。
【００９１】
ウィンドウ１２０５には、ユーザの支払額が表示される。充電要求量１０ｋＷｈのうち、充電価格が２５円／ｋＷｈの通常充電が５ｋＷｈ行われ、充電価格が２０円／ｋＷｈの電力貸与した分の充電が５ｋＷｈ行われた。このため、支払額は、
２５×５＋２０×５＝１２５＋１００＝２２５円
となる。
【００９２】
ユーザは、充電要求量の全てを通常充電で行った場合の支払額（２５×１０＝２５０円）より、２５円安くなることになる。このように、他の自動車３に電力を貸与した自動車３に対しては、充電管理部１０４から、その対価として安い充電価格に基づいた支払額を示す情報が送信される。
【００９３】
ユーザが、精算ボタン１２０６を押すことで精算処理が完了する。
【００９４】
以上説明したように、本実施の形態によれば、車載バッテリ残量や充電時間に余裕がある自動車３の電力を調達し、調達した電力で他の自動車３の充電を行うように電力制御を行う。このため、充電時間に余裕の無い自動車３への充電を優先させることができる。これにより、充電ステーション１０の稼働率を高めることが可能となる。
【００９５】
なお、（ステップＳ１０１）と（ステップＳ１０２）の実行順序は逆でもよい。
【００９６】
また、充電制御の許可または不許可は、充電要求の設定時にユーザ入力を受け付けるとして説明したが、電力を調達する時点でユーザ入力を受け付けてもよい。その場合、ユーザが自動車３内にいない場合もあるので、携帯電話などの遠隔通信部によりユーザ入力を受け付けてもよい。
【００９７】
また、調達した電力は充電して返却すると説明したが、充電をせずにそのまま電力を売却してもよい。つまり、充電を要望しておらず、電力を放電することにより売却する自動車３が含まれていても、この発明は成り立つ。
【００９８】
（実施の形態２）
実施の形態１では、自動車から電力を調達して他の自動車に充電する例を説明した。これに対し、本実施の形態では、自動車から電力を調達せずに充電だけを行う簡略な設備で、充電要求が自動車充電装置の電力容量（単位ｋＷ）を超過する場合に充電を制御する例を説明する。
【００９９】
図９は、本実施の形態における自動車充電装置が適用された充電ステーションの構成を示す模式図兼機能ブロック図である。図９に示すように、本実施の形態の自動車充電装置２は、実施の形態１の自動車充電装置１の構成において、充放電部１０２を充電部３０１に置き換え、自動車充電制御装置１００を自動車充電制御装置２００に置き換え、自動車充電部１０８を自動車充電部２０８に置き換えたものである。
【０１００】
充電部３０１は、自動車３に対して電力の充電を行う。例えば、充電部３０１は、充電部３０１が有する電力ケーブルを自動車３と電気的に接続した後に、自動車３に対して電力を充電する充電処理を行う。
【０１０１】
電力供給部１０３は、実施の形態１に示したものと同じである。
【０１０２】
複数の充電部３０１および電力供給部１０３は、電力供給部１０３から供給される電力を複数の自動車３に同時に充電可能な自動車充電部２０８を構成する。各充電部３０１は、充電ステーション２０に来訪した自動車３の駐車スペースごとに設置されている。自動車３は、駐車スペースに駐車している間は、充電部３０１に接続されているものとする。
【０１０３】
自動車充電制御装置２００は、上述の自動車充電部２０８を制御する装置であり、充電要求受付部１０１と、充電管理部１０４と、電力超過判定部２０１と、休止余裕時間算出部２０２と、電力制御部２０７とを含む。
【０１０４】
充電要求受付部１０１および充電管理部１０４は、実施の形態１の自動車充電制御装置１００が備える充電要求受付部１０１および充電管理部１０４と同様の処理を行う。このため、その詳細な説明はここでは繰り返さない。
【０１０５】
電力超過判定部２０１は、複数の要充電自動車の充電要求を全て満たすと仮定した場合に、自動車充電部２０８の設備容量が所定の設備容量を超過するか否かを判定する。具体的には、電力超過判定部２０１は、全ての複数の要充電自動車に同時に充電を行ったと仮定した場合の、自動車充電部２０８を流れる電力の合計値が所定の上限値よりも大きい場合には、自動車充電部２０８の設備容量が所定の設備容量を超過すると判定し、合計値が所定の上限値以下の場合には、自動車充電部２０８の設備容量が所定の設備容量を超過しないと判定する。
【０１０６】
休止余裕時間算出部２０２は、充電が完了してから充電ステーション２０より退出するまでの予定時間である休止余裕時間（余裕時間）を算出し、算出した休止余裕時間に従って自動車３を選択する。つまり、休止余裕時間算出部２０２は、自動車充電部２０８の設備容量が所定の設備容量を超過すると判定された場合、自動車充電部に接続されている自動車の中から、休止余裕時間が大きいものほど優先して少なくとも１台の自動車３を選択する。具体的には、休止余裕時間算出部２０２は、自動車充電部２０８の設備容量が所定の設備容量を超過すると判定された場合、つまり自動車充電部２０８を流れる電力の合計値が所定の上限値よりも大きい場合に、ある自動車３への充電を一時的に休止すれば自動車充電部２０８の設備容量が所定の設備容量を超過しなくなるまで、ある自動車３として、自動車充電部に接続されている自動車の中から、休止余裕時間が大きいものほど優先して選択する。
【０１０７】
電力制御部２０７は、休止余裕時間算出部２０２が選択した自動車３への充電が一時的に休止されるように自動車充電部２０８を制御する。
【０１０８】
充電ステーション２０に来訪した自動車３の車載端末の画面に表示される充電設定メニューは、実施の形態１で図２を用いて説明した通りである。
【０１０９】
また、充電ステーション２０に逐次来訪した自動車３の充電要求の例は、実施の形態１で図３を用いて説明した通りである。
【０１１０】
図１０は、来訪した自動車３の充電要求に応えるための充電電力（単位ｋＷ）の合計値を時系列に示したグラフである。
【０１１１】
図１０は、図４の充電電力の合計値を時系列で示したグラフに、自動車充電部２０８を流れる電力の合計値の上限値（自動車充電装置２の電力容量）を書き加えたものである。図１０は、充電要求に従った充電電力を積算すると、ある時点で電力容量を超過する場合があることを示している。
【０１１２】
本実施の形態では、説明の簡単化のために、各自動車３の充電電力は等しく、一定値であるものとする。ただし、自動車３ごとに充電電力が異なっていても良い。また、同じ自動車３に対しても充電開始時には徐々に充電電力を大きくし、充電終了時には徐々に充電電力を小さくするなどのように、時間によって充電電力を変化させても良い。
【０１１３】
ここで、本実施の形態では、充電電力の合計値が電力容量を超過しないように、充電電力を抑制するように制御する。つまり、充電電力の合計値が電力容量を超過する場合に、全ての自動車３に対して充電電力を均等に抑制するのではなく、自動車３に優先順位を付ける。これにより、優先順位の高い自動車３を先に充電し、優先順位の低い自動車３には、充電要求の電力の合計値が電力容量を超過しなくなるまで充電を休止する。このような制御を行うことにより、図１０のグラフにおいて破線１０００で示すように、電力合計値が電力容量を超えないように制御されると共に、電力容量を超えていた部分の電力量の電力が後回しされて充電される。このときに、ユーザに不利益が生じないように、休止余裕時間に基づいて、優先順位を決定する。つまり、休止余裕時間が大きいものほど充電が後回しにされるように優先順位を決定する。
【０１１４】
次に、以上のように構成された本実施の形態の自動車充電装置２の動作を図１１のフローチャートを用いて説明する。
【０１１５】
自動車充電装置２は、充電ステーション２０の営業開始前などに起動され、充電ステーション２０の営業終了後などに管理者の終了の入力があるまで終了しない。
【０１１６】
（ステップＳ１０１）から（ステップＳ１０３）までと、（ステップＳ１０５）および（ステップＳ１０６）の処理は、実施の形態２と同様なので説明を省略する。
【０１１７】
（ステップＳ２０１）電力超過判定部２０１は、（ステップＳ１０３）で算出した充電電力の合計値（積算値）が自動車充電装置２の電力容量を超過しているか否かを判断する。上記合計値が上記電力容量を超過している場合には、（ステップＳ２０２）に進み、超過していない場合には、（ステップＳ１０５）に進む。
【０１１８】
（ステップＳ２０２）休止余裕時間算出部２０２は、接続されている各自動車３について、充電が完了してから退出するまでの予定時間である休止余裕時間を算出し、休止余裕時間の最も大きい自動車３を選択する。休止余裕時間は、滞在予定時間から、充電に必要な時間を引くことによって得られる。充電に必要な時間とは、充電要求の充電量の電力を充電するのに必要な時間と、充電の一時的な休止時間との合計時間である。充電要求の充電量の電力を充電するのに必要な時間は、充電要求量を単位時間当たりの充電電力で割ることによって得られる。
【０１１９】
（ステップＳ２０３）電力制御部１０７は、（ステップＳ２０２）で選択された自動車３への充電を休止する指示を充電管理部１０４に出力し、（ステップＳ１０５）に進む。充電管理部１０４は、指示に従い、選択された自動車３への充電を休止する。
【０１２０】
図１１のフローチャートに従って（ステップＳ２０２）と（ステップＳ２０３）の処理は繰り返され、新規の自動車３の充電ステーション２０への来訪のタイミング、充電ステーション２０からの自動車３の退出のタイミング、充電部３０１に接続されている自動車３の充電の完了のタイミング、またはフローチャートのループに従ったタイミングで、充電を休止する自動車３が変更される。
【０１２１】
図１２の模式図を用いて、休止する自動車３の変更について説明する。自動車充電装置２は、同時に３台まで自動車３の充電が可能として説明する。
【０１２２】
図１２（ａ）は、ある時点において、充電ステーション２０に３台の自動車Ｄ、Ｅ、Ｆが接続されている状態を表している。各自動車３について、矩形全体が滞在予定時間を、斜め格子の領域１４０１が充電中の時間を、白い領域１４０２が休止余裕時間を、それぞれ表す。現時点では３台とも充電中であり、充電電力の合計値は、自動車充電装置２の電力容量を超過していない。
【０１２３】
図１２（ｂ）を用いて、図１２（ａ）の状態に、新たに自動車Ｇが来訪した場合について説明する。自動車Ｇの来訪によって、充電要求を持つ自動車３が４台となり自動車充電装置２の電力容量を超過したため、充電電力の制御が行われる。すなわち、休止余裕時間算出部２０２は、各自動車３について休止余裕時間を算出する。休止余裕時間算出部２０２は、休止余裕時間が最も長い自動車Ｆを選択する。電力制御部２０７は、選択した自動車Ｆについて充電を休止し、自動車Ｄ、ＥおよびＧについて充電を行う。休止時間は、領域１４０３で示される。自動車Ｆの充電を休止させると、自動車Ｆの充電休止時間が徐々に休止余裕時間から減算される。このため、自動車Ｆの休止余裕時間は徐々に小さくなっていく。
【０１２４】
時刻ｔ１において、自動車Ｄの休止余裕時間が自動車Ｆの休止余裕時間より大きくなったため、電力制御部２０７は、自動車Ｄの充電を休止し、自動車Ｆの充電を再開する。
【０１２５】
時刻ｔ２において、自動車Ｅの充電が完了したため、電力制御部２０７は、自動車Ｄの充電を再開する。
【０１２６】
このように、常に休止余裕時間が大きい自動車３の充電を休止することにより、充電の時間的余裕のあるユーザの自動車３の充電を後回しにし、充電の時間的余裕のないユーザを待たせることなく、全ての自動車３に不利益なく充電することが可能である。
【０１２７】
充電が完了した自動車３についての、充電ステーション２０の端末、あるいは、自動車３の車載端末における精算画面の表示例は、実施の形態１において図８を用いて説明したのと同様である。
【０１２８】
実施と形態２と実施の形態１の差異は、充電ステーション２０の電力の運用の方式の差異であるので、ユーザにとっての効果は同様である。
【０１２９】
以上説明したように、本実施の形態によれば、充電の時間的余裕がある自動車３の優先順位を下げ、充電の時間的余裕のない自動車３の充電を優先して行う。これにより、充電ステーション２０の稼働率を高めることが可能となる。
【０１３０】
（実施の形態２の変形例）
実施の形態２では、充電を休止させることで充電の抑制を行ったが、充電電力を通常の充電時よりも減らすことにより充電の抑制を行っても良い。
【０１３１】
例えば、休止余裕時間算出部２０２は、充電電力の合計値が電力容量を超過した場合に、休止余裕時間が大きいものから２台の自動車３を選択するようにしても良い。
【０１３２】
また、電力制御部２０７は、休止余裕時間算出部２０２が選択した２台の自動車３の充電電力を通常時に比べ半分にして充電を行うための制御を行う。これにより、１台分の電力で２台の自動車３に充電を行うことができる。
【０１３３】
図１３の模式図を用いて、充電電力を半分にする自動車３の変更について説明する。
【０１３４】
図１３（ａ）は、図１２（ａ）と同じである。このため、その詳細な説明は繰り返さない。
【０１３５】
図１３（ｂ）を用いて、図１３（ａ）の状態に、新たに自動車Ｇが来訪した場合について説明する。自動車Ｇの来訪によって、充電要求を持つ自動車３が４台となり自動車充電装置２の電力容量を超過したため、充電電力の制御が行われる。すなわち、休止余裕時間算出部２０２は、各自動車３について休止余裕時間を算出する。休止余裕時間算出部２０２は、休止余裕時間が大きいものから２台の自動車Ｆ、Ｄを選択する。電力制御部２０７は、選択した自動車Ｆ、Ｄについて充電電力を半分にし、自動車ＥおよびＧについて充電を行う。充電電力が抑制されている時間は、領域１４０４で示される。自動車Ｆ、Ｄの充電電力を半分にしていることより、３台分の充電電力で４台の自動車３に充電を行うことができる。このため、充電電力の合計値は自動車充電装置２の電力容量を超過しなくなる。なお、自動車Ｆ、Ｄの充電を抑制すると、自動車Ｆ、Ｄの充電抑制時間が徐々に休止余裕時間から減算される。このため、自動車Ｆの休止余裕時間は徐々に小さくなっていく。
【０１３６】
時刻ｔ１において、自動車Ｅの充電が完了したため、自動車Ｆの充電抑制が解除され、通常の電力で自動車Ｇ、Ｆ、Ｄに充電が行われる。
【０１３７】
このため、本変形例によると、充電の時間的余裕がある自動車３の充電を休止せずに抑制することにより、充電ステーション２０の稼働率を高めることが可能となる。
【０１３８】
以上、本発明に係る自動車充電制御装置について、実施の形態１および２に基づいて説明したが、本発明は、上述の実施の形態に限定されるものではない。
【０１３９】
例えば、図２に示した充電設定メニューにおいて、「充電要求量」と共に、または「充電要求量」の代わりに、充電のための「支払額」が表示されていても良い。ユーザが「支払額」を設定した場合には、「支払額」を現在の充電価格（例えば、２５円／ｋＷｈ）で除することにより、「支払額」に相当する「充電要求量」を車載端末が計算しても良い。
【０１４０】
また、図２に示した充電設定メニューにおいて、「充電要求量」と共に、または「充電要求量」の代わりに、車載バッテリに電力が満杯になるまで充電を行う「満充電」ボタンが表示されていても良い。ユーザが「満充電」ボタンを押した場合には、車載端末が車載バッテリの蓄積可能電力量から現在蓄積されている電力量を減算することにより「充電要求量」を計算しても良い。
【０１４１】
なお、上述の実施の形態に係る自動車充電制御装置は、コンピュータにより実現することも可能である。
【０１４２】
図１４は、自動車充電制御装置を実現するコンピュータシステムのハードウェア構成を示すブロック図である。
【０１４３】
自動車充電制御装置は、コンピュータ３４と、コンピュータ３４に指示を与えるためのキーボード３６およびマウス３８と、コンピュータ３４の演算結果等の情報を提示するためのディスプレイ３２と、コンピュータ３４で実行されるプログラムを読み取るためのＣＤ−ＲＯＭ（Ｃｏｍｐａｃｔ  Ｄｉｓｃ−Ｒｅａｄ  Ｏｎｌｙ  Ｍｅｍｏｒｙ）装置４０および通信モデム（図示せず）とを含む。
【０１４４】
自動車充電制御装置が行う処理であるプログラムは、コンピュータで読取可能な記録媒体であるＣＤ−ＲＯＭ４２に記憶され、ＣＤ−ＲＯＭ装置４０で読み取られる。または、コンピュータネットワークを通じて通信モデム５２で読み取られる。
【０１４５】
コンピュータ３４は、ＣＰＵ（Ｃｅｎｔｒａｌ  Ｐｒｏｃｅｓｓｉｎｇ  Ｕｎｉｔ）４４と、ＲＯＭ（Ｒｅａｄ  Ｏｎｌｙ  Ｍｅｍｏｒｙ）４６と、ＲＡＭ（Ｒａｎｄｏｍ  Ａｃｃｅｓｓ  Ｍｅｍｏｒｙ）４８と、ハードディスク５０と、通信モデム５２と、バス５４とを含む。
【０１４６】
ＣＰＵ４４は、ＣＤ−ＲＯＭ装置４０または通信モデム５２を介して読み取られたプログラムを実行する。ＲＯＭ４６は、コンピュータ３４の動作に必要なプログラムやデータを記憶する。ＲＡＭ４８は、プログラム実行時のパラメータなどのデータを記憶する。ハードディスク５０は、プログラムやデータなどを記憶する。通信モデム５２は、コンピュータネットワークを介して他のコンピュータとの通信を行う。バス５４は、ＣＰＵ４４、ＲＯＭ４６、ＲＡＭ４８、ハードディスク５０、通信モデム５２、ディスプレイ３２、キーボード３６、マウス３８およびＣＤ−ＲＯＭ装置４０を相互に接続する。
【０１４７】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１４８】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１４９】
また、本発明は、上記に示す方法であるとしても良い。また、これらの方法をコンピュータにより実現するコンピュータプログラムであるとしても良いし、前記コンピュータプログラムからなるデジタル信号であるとしても良い。
【０１５０】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしても良い。また、これらの非一時的な記録媒体に記録されている上記デジタル信号であるとしても良い。
【０１５１】
また、本発明は、上記コンピュータプログラムまたは上記デジタル信号を、電気通信回線、無線または有線通信回線、インターネットを代表とするネットワーク、データ放送等を経由して伝送するものとしても良い。
【０１５２】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１５３】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１５４】
さらに、上記実施の形態および上記変形例をそれぞれ組み合わせるとしても良い。
【０１５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１５６】
本発明に係る自動車充電制御装置は、充電ステーションの設備容量を超過せずにユーザの利益を損なうことなく複数の自動車の充電を効率的に行う機能を有し、充電ステーション用の自動車充電制御装置等として有用である。
【符号の説明】
【０１５７】
１、２  自動車充電装置
３  自動車
１０、２０  充電ステーション
１０１  充電要求受付部
１０２  充放電部
１０３  電力供給部
１０４  充電管理部
１０５  電力量超過判定部
１０６  調達余裕時間算出部
１０７、２０７  電力制御部
２０１  電力超過判定部
２０２  休止余裕時間算出部
３０１  充電部
【図１】
0005736546.tif 000002
【図２】
0005736546.tif 000003
【図３】
0005736546.tif 000004
【図４】
0005736546.tif 000005
【図５】
0005736546.tif 000006
【図６】
0005736546.tif 000007
【図７】
0005736546.tif 000008
【図８】
0005736546.tif 000009
【図９】
0005736546.tif 000010
【図１０】
0005736546.tif 000011
【図１１】
0005736546.tif 000012
【図１２】
0005736546.tif 000013
【図１３】
0005736546.tif 000014
【図１４】
0005736546.tif 000015